(57)【要約】    【課題】  送信元がカット紙（定型紙）より副走査方向のサイズが長い長尺画像を送信先に送信する場合において、長尺画像を予め送信先のカット紙のサイズに合わせて分割するときに、長尺画像が意図しない位置で分割されるのを防止することができる通信装置及び方法、プログラム並びに記憶媒体を提供する。    【解決手段】  通信装置１００は、送信先の能力、即ち記録紙のサイズや画像データの解像度を取得し、画素密度変換部２１５は、変倍率決定処理により送信先の能力に合わせて最適な変倍率を決定し、決定した変倍率で変倍処理３０９を行い、変倍処理が施された画像データに分割位置調整処理３１０を施して、領域設定処理３０６で設定された送信原稿上の領域が、送信先のカット紙サイズの都合により分割されないように原稿上端又は下端に余白をつけて公衆電話交換網に出力する。また一方で、画像メモリ領域３１１をもとに操作部２１６に送信先での出力結果をプレビュー画像として操作部２１６の表示装置に表示する。【選択図】      図３
2005244616.tif 000002
【特許請求の範囲】
【請求項１】
画像データを生成する生成手段と、前記生成した画像データに所定の画像処理を施す画像処理手段と、前記画像処理が施された画像データを送信先に送信する送信手段と、前記送信先の能力を取得する取得手段とを備える通信装置において、
前記画像処理手段は、前記取得した送信先の能力に応じて前記読取った画像データに分割処理を施すことを特徴とする通信装置。
【請求項２】
前記送信先の出力画像をプレビュー画像として表示する表示手段を備えることを特徴とする請求項１記載の通信装置。
【請求項３】
前記表示手段に表示されたプレビュー画像に対し分割不可領域を指定する指定手段を備え、前記画像処理手段は、前記分割処理を前記指定された分割不可領域に基づいて行うことを特徴とする請求項２記載の通信装置。
【請求項４】
前記送信先の能力は、前記送信先における記録紙のサイズ及び画像の解像度の少なくとも一方を含むことを特徴とする請求項１乃至３のいずれか１項に記載の通信装置。
【請求項５】
前記所定の画像処理は、さらに、前記画像データの回転及び変倍の少なくとも一方を含むことを特徴とする請求項１乃至４のいずれか１項に記載の通信装置。
【請求項６】
画像データを生成する生成ステップと、前記生成した画像データに所定の画像処理を施す画像処理ステップと、前記画像処理が施された画像データを送信先に送信する送信ステップと、前記送信先の能力を取得する取得ステップとを備える通信方法において、
前記画像処理ステップは、前記取得した送信先の能力に応じて前記読取った画像データに分割処理を施すことを特徴とする通信方法。
【請求項７】
前記送信先の出力画像をプレビュー画像として表示する表示ステップを備えることを特徴とする請求項６記載の通信方法。
【請求項８】
前記表示ステップにおいて表示されたプレビュー画像に対し分割不可領域を指定する指定ステップを備え、前記画像処理ステップは、前記分割処理を前記指定された分割不可領域に基づいて行うことを特徴とする請求項７記載の通信方法。
【請求項９】
前記送信先の能力は、前記送信先における記録紙のサイズ及び画像の解像度の少なくとも一方を含むことを特徴とする請求項６乃至８のいずれか１項に記載の通信方法。
【請求項１０】
前記所定の画像処理は、さらに、前記画像データの回転及び変倍の少なくとも一方を含むことを特徴とする請求項６乃至９のいずれか１項に記載の通信方法。
【請求項１１】
画像データを生成する生成モジュールと、前記生成した画像データに所定の画像処理を施す画像処理モジュールと、前記画像処理が施された画像データを送信先に送信する送信モジュールと、前記送信先の能力を取得する取得モジュールとを備える通信プログラムにおいて、
前記画像処理モジュールは、前記取得した送信先の能力に応じて前記読取った画像データに分割処理を施すことを特徴とする通信プログラム。
【請求項１２】
請求項１１記載の通信プログラムを格納することを特徴とするコンピュータ読取り可能な記憶媒体。
【発明の詳細な説明】
【技術分野】
【０００１】
本発明は、通信装置及び方法、プログラム並びに記憶媒体、特にファクシミリ機能やインターネットファクシミリ機能を有する通信装置及び方法、プログラム並びに記憶媒体に関する。
【背景技術】
【０００２】
従来、公衆電話交換網（ＰＳＴＮ）等の既存の通信回線に接続可能なファクシミリ機能を有する通信装置が知られており、この種の通信装置は、スキャナ部で読取った画像データを公衆電話交換網（ＰＳＴＮ）を介して送信先に送信して記録紙に出力させるか、又はメモリに格納する機能を備えている。
【０００３】
上記通信装置のスキャナ部は、ファクシミリ原稿読取り時における標準の解像度が、Ａ４サイズの場合、主走査方向で８画素／ｍｍ、副走査方向で３．８５ライン／ｍｍである。スキャナ部は、読取った画像データを二値化して、例えば標準解像度では１ライン当たり１７２８画素の画像データに変換し、さらに、変換した画像データをＭＨ，ＭＲ，ＭＭＲ等の符号化方式で圧縮（符号化）して、符号化データとして送信先に送信する。送信先は、受信した符号化データを画素データとして復号化した上で、記録紙に出力したり、メモリに格納する。
【０００４】
スキャナ部では、読取り部を固定して、記録紙を搬送してスキャンする(いわゆる「流し読み」)のが一般的であり、この場合、記録紙の長さに応じて副走査方向に関する画像のライン数が異なるので、送信先でも、記録紙としてロール紙等を用いて任意のサイズで画像を記録しているのが一般的である。
【０００５】
これに対して、近年普及している複写機ベースのファクシミリ装置では、記録紙にＡ４／Ｂ４のカット紙（以下「定型紙」ともいう）を用いるため、副走査方向に長い記録紙（いわゆる「長尺紙」）を使用した場合に送信元から送信される長尺画像を、送信先では、分割して出力するか、又は、予め送信先にカット紙がセットされていることを送信元に通知しておき、送信元で長尺画像をカット紙にあわせて分割して送信している（例えば、特許文献１参照）。
【特許文献１】特開平５−０１４６７９号公報
【発明の開示】
【発明が解決しようとする課題】
【０００６】
しかしながら、送信元がカット紙（定型紙）より副走査方向のサイズが長い長尺画像を送信先に送信する場合において、長尺画像を予め送信先のカット紙のサイズに合わせて分割するときに、長尺画像が意図しない位置で分割されてしまうという問題がある。
【０００７】
本発明の目的は、送信元がカット紙（定型紙）より副走査方向のサイズが長い長尺画像を送信先に送信する場合において、長尺画像を予め送信先のカット紙のサイズに合わせて分割するときに、長尺画像が意図しない位置で分割されるのを防止することができる通信装置及び方法、プログラム並びに記憶媒体を提供することにある。
【課題を解決するための手段】
【０００８】
上記目的を達成するために、請求項１記載の通信装置は、所定の解像度で画像データを生成する生成手段と、前記生成した画像データに所定の画像処理を施す画像処理手段と、前記画像処理が施された画像データを送信先に送信する送信手段と、前記送信先の能力を取得する取得手段とを備える通信装置において、前記画像処理手段は、前記取得した送信先の能力に応じて前記読取った画像データに分割処理を施すことを特徴とする。
【０００９】
請求項２記載の通信装置は、請求項１記載の通信装置において、前記送信先の出力画像をプレビュー画像として表示する表示手段を備えることを特徴とする。
【００１０】
請求項３記載の通信装置は、請求項２記載の通信装置において、前記表示手段に表示されたプレビュー画像に対し分割不可領域を指定する指定手段を備え、前記画像処理手段は、前記分割処理を前記指定された分割不可領域に基づいて行うことを特徴とする。
【００１１】
請求項４記載の通信装置は、請求項１乃至３のいずれか１項に記載の通信装置において、前記送信先の能力は、前記送信先における記録紙のサイズ及び画像の解像度の少なくとも一方を含むことを特徴とする。
【００１２】
請求項５記載の通信装置は、請求項１乃至４のいずれか１項に記載の通信装置において、前記所定の画像処理は、さらに、前記画像データの回転及び変倍の少なくとも一方を含むことを特徴とする。
【００１３】
請求項６記載の通信方法は、画像データを生成する生成ステップと、前記生成した画像データに所定の画像処理を施す画像処理ステップと、前記画像処理が施された画像データを送信先に送信する送信ステップと、前記送信先の能力を取得する取得ステップとを備える通信方法において、前記画像処理ステップは、前記取得した送信先の能力に応じて前記読取った画像データに分割処理を施すことを特徴とする。
【００１４】
請求項７記載の通信方法は、請求項６記載の通信方法において、前記送信先の出力画像をプレビュー画像として表示する表示ステップを備えることを特徴とする。
【００１５】
請求項８記載の通信方法は、請求項７記載の通信方法において、前記表示ステップにおいて表示されたプレビュー画像に対し分割不可領域を指定する指定ステップを備え、前記画像処理ステップは、前記分割処理を前記指定された分割不可領域に基づいて行うことを特徴とする。
【００１６】
請求項９記載の通信方法は、請求項６乃至８記載の通信方法において、前記送信先の能力は、前記送信先における記録紙のサイズ及び画像の解像度の少なくとも一方を含むことを特徴とする。
【００１７】
請求項１０記載の通信方法は、請求項６乃至９記載の通信方法において、前記所定の画像処理は、さらに、前記画像データの回転及び変倍の少なくとも一方を含むことを特徴とする。
【００１８】
請求項１１記載の通信プログラムは、画像データを生成する生成モジュールと、前記生成した画像データに所定の画像処理を施す画像処理モジュールと、前記画像処理が施された画像データを送信先に送信する送信モジュールと、前記送信先の能力を取得する取得モジュールとを備える通信プログラムにおいて、前記画像処理モジュールは、前記取得した送信先の能力に応じて前記読取った画像データに分割処理を施すことを特徴とする。
【００１９】
請求項１２記載の通信記憶媒体は、請求項１１記載の通信プログラムを格納することを特徴とする。
【発明の効果】
【００２０】
請求項１記載の通信装置、請求項６記載の方法、請求項１１記載のプログラム及び請求項１２記載の記憶媒体によれば、取得した送信先の能力に応じて、読取った画像データに分割処理を施すので、送信元がカット紙（定型紙）より副走査方向のサイズが長い長尺画像を送信先に送信する場合において、長尺画像を予め送信先のカット紙のサイズに合わせて分割するときに、長尺画像が意図しない位置で分割されるのを防止することができる。
【００２１】
請求項２記載の通信装置及び請求項７記載の方法によれば、送信先の出力画像をプレビュー画像として表示するので、長尺画像が送信先でどのように分割されたか否かを知ることができる。
【００２２】
請求項３記載の通信装置及び請求項８記載の方法によれば、表示されたプレビュー画像に対し分割不可領域を指定し、画像データの分割処理を指定された分割不可領域に基づいて行うので、分割不可領域を予めプレビュー画像上に指定された分割不可領域における意図しない画像の分割を回避することができる。
【発明を実施するための最良の形態】
【００２３】
以下、本発明の実施の形態を図面を用いて詳述する。
【００２４】
図１は、本発明の実施の形態に係る通信装置を備える画像処理システムの構成を概略的に示すブロック図である。
【００２５】
図１において、画像処理システムは、本発明の実施の形態に係る通信装置１０１（図２）と、複数のワークステーション（情報処理端末）１０４と、これらを接続するローカルエリアネットワーク（ＬＡＮ）１０２とを備える。
【００２６】
上記画像処理システムはまた、通信装置１０１にＩＳＤＮ等の公衆電話網（ＰＳＴＮ）１０３を介して接続されたインターネット接続サービスを提供するプロバイダ１０６や、ファクシミリ装置（ＦＡＸ）又はインターネットファクシミリ装置（ＩＦＡＸ）１０５等も含む。
【００２７】
図２は、図１における通信装置の構成を概略的に示すブロック図である。
【００２８】
図２において、通信装置１０１は、ファクシミリ原稿を読取る読取り部２１４と、読取り部２１４で読取るか、又は受信した画像データを出力するプリンタ部２１３と、システム操作者が情報を入力するキーパッド装置や、画像データを表示する表示装置を備える操作部２１６（ＵＩ：ユーザインタフェース）と、後述する制御ユニット２１７とを備える。
【００２９】
制御ユニット２１７は、装置全体の制御を行うＣＰＵ２０３と、システムのブートプログラムを格納するブートＲＯＭ２０２と、システムソフトウェア実行のためのＣＰＵ２０３のワークメモリエリアであり、画像データを処理する際に画像データを一時記憶するＲＡＭ２０４と、ファクシミリ符号データや、画像データ、システムソフトウェア等を記憶する蓄積メモリ２０５と、ＬＡＮ１０２と接続するためのＩ／Ｆ部であり、ＬＡＮ１０２に接続された各機器との情報の入出力を行うＬＡＮＩ／Ｆ部２０６と、ＩＳＤＮ等を含む公衆電話交換網（ＰＳＴＮ）に接続されると共に、ＲＯＭ２０２内の通信制御プログラムにより制御され、ＩＳＤＮＩ／Ｆやモデム、ＮＣＵ（ネットワーク・コントロール・ユニット）を介して遠隔の端末にデータを送受信する送受信機能、及び画像データの圧縮伸張処理機能を備える回線Ｉ／Ｆ部２０７と、操作部２１６とのインターフェースであり、操作部２１６から本システム操作者が入力した情報をＣＰＵ２０３に送出するＩＯ制御Ｂ部２０８とを備え、これらは、システムバス２０１により互いに接続されている。
【００３０】
ＲＡＭ２０４は、画像メモリ領域３０１，３０２，３０３，３０５，３０８，３１１を有する（図３）。
【００３１】
通信装置１０１は、さらに、入力及び出力画像データに対し補正、加工、編集（分割及び変倍を含む）を行う画像処理部２１１と、画像データの回転、圧縮伸長、二値多値間の変換、ＪＰＥＧ、ＪＢＩＧ、ＭＲ、ＭＭＲ等の圧縮伸張処理を行う画像回転圧縮伸長部２１２と、画素密度変換の処理を行う画素密度変換部２１５とを備え、これらは、画像データを高速で転送する画像バス２１０を介して互いに接続されている。画像バス２１０は、ＰＣＩバス又はＩＥＥＥ１３９４で構成されている。画像バス２１０にはまた、画像入出力デバイスである読取り部２１４や、プリンタ部２１３が接続されている。
【００３２】
システムバス２０１と画像バス２１０とは、システムバス２０１上の画像データ構造の同期系/非同期系の変換を行うバスブリッジであるＩＯ制御Ａ部２０９を介して互いに接続されている。
【００３３】
ＣＰＵ２０３は、後述する図３の送信画像分割位置調整処理を実行し、この処理を実行するプログラムは、ＲＯＭ２０２及び／又は蓄積メモリ２０５に格納されている。
【００３４】
図３は、図１におけるＣＰＵによって実行される送信画像分割位置調整処理の動作を説明するのに用いられる図である。
【００３５】
図３において、読取り部２１４によるスキャンやＬＡＮＩ／Ｆ部２０６及び回線Ｉ／Ｆ部２０７を介する受信（生成手段）によって生成されたファクシミリ原稿画像の符号化データは蓄積メモリ２０５に蓄積されている。送信ジョブが開始されると、まず、蓄積メモリ２０５から符号化データの画像情報を読出し、この画像情報を元の画像情報としてＲＡＭ２０４の画像メモリ領域３０３に格納する。次に、蓄積メモリ２０５から符号化データを一定サイズ毎にＲＡＭ２０４の画像メモリ領域３０１に読出し、この符号化データに回転圧縮伸長部２１２によって復号化処理３０２を施し、画像メモリ領域３０３に前記画像情報と関連付けて格納する。この復号化処理３０２を一定サイズ毎に逐次全ての符号化データに対して施す。
【００３６】
復号化処理３０２が全ての符号化データについて終了すると、操作部２１６の表示装置に表示するためのプレビュー画像を生成するために、画像メモリ領域３０３上の復号化データに対して変倍処理３０４を施し、変倍後のプレビュー画像情報をＲＡＭ２０４の画像メモリ領域３０５に関連付けて格納すると共に、プレビュー用画像データを前記プレビュー画像情報と関連付けて画像メモリ領域３０５に格納する。
【００３７】
次に、画像メモリ領域３０５に格納されたプレビュー用画像データを操作部２１６の表示装置にプレビュー画像として表示し、操作部２１６の表示装置に表示されたプレビュー画像に対して操作者は分割不可領域指定処理３０６を行って分割不可領域を操作部２１６表示装置上で指定する（指定手段）。領域指定の仕方は操作部２１６上のキーパッド装置（テンキー）により領域の座標を入力するようにしてもよく、操作部２１６の表示装置の画面に表示されたプレビュー画像上を操作者が直接触れることにより領域を指定するようにしてもよい。指定された分割不可領域は画像メモリ領域３０５に格納したプレビュー画像情報に格納する。
【００３８】
さらに、画像メモリ領域３０３に格納されている元の画像情報に対して、必要に応じて回転圧縮伸長部２１２によって回転処理３０７を施す（画像処理手段）。回転処理３０７が施された場合は、回転後画像情報をＲＡＭ２０４の画像メモリ領域３０８に格納すると共に、回転後の画像データを前記回転後画像情報に関連付けて画像メモリ領域３０８に保存する。
【００３９】
ここで、通信装置１０１は、ファクシミリ装置１０５（送信先）に回線Ｉ／Ｆ部２０７を介して接続され、送信先との能力交換により、送信先の能力、即ち記録紙のサイズや画像の解像度を取得し（取得手段）、送信先で出力可能な画像データのサイズや解像度が送信元の送信画像データのサイズや解像度と異なるときは、画素密度変換部２１５は、後述する図４の変倍率決定処理により送信先の能力に合わせて最適な変倍率を決定し、決定した変倍率で変倍処理３０９を行う（画像処理手段）。
【００４０】
次に、変倍処理３０９が施された画像データに後述する図５の分割位置調整処理３１０を施して、分割不可領域指定処理３０６で指定されたファクシミリ原稿上の分割不可領域が送信先のカット紙サイズの都合により分割されないように分割位置を調整して原稿上端又は下端に余白を付け（設定手段）（図７）、変倍後画像情報をＲＡＭ２０４の画像メモリ領域３１１に格納すると共に、変倍後画像データを変倍後画像情報に関連付けて画像メモリ領域３１１に格納する。
【００４１】
次に、ＲＡＭ２０４の画像メモリ領域３１１に格納された画像データに対して、必要に応じて、余白付け、ヘッダ文字列の画像への展開等を含むソフトウェア処理にて符号化処理３１２を施しながら一時的にＲＡＭ２０４の画像メモリ領域３１３に格納し、画像メモリ領域３１３に格納された符号化データを回線Ｉ／Ｆ部２０７の内蔵圧縮伸長部で復号化し、送信先の能力に応じて再度符号化した上で公衆電話交換網（ＰＳＴＮ）に出力する（送信手段）。
【００４２】
また一方で、画像メモリ領域３１１をもとに操作部２１６に送信先での出力結果をプレビュー画像として表示するために変倍処理３１４を行い、変倍後のプレビュー画像情報をＲＡＭ２０４の画像メモリ領域３１５に格納すると共に、変倍後のプレビュー用画像データを前記変倍後のプレビュー画像情報に関連付けて画像メモリ領域３１５に格納する。このとき、変倍処理３１４は送信先の印字イメージを表示するためにプレビュー画像を分割する処理も行う。操作部２１６の表示装置に画像メモリ３１５に保存されたプレビュー用画像データをプレビュー画像として表示することにより、送信者は送信先でどのように送信原稿を出力するかを確認することができる。
【００４３】
図３の送信画像分割位置調整処理によれば、変倍処理３０９が施された画像データに図５の分割位置調整処理３１０を施すので、分割不可領域指定処理３０６で指定されたファクシミリ原稿上の分割不可領域が送信先のカット紙サイズの都合により分割されないように分割位置を調整することができる（図７）。
【００４４】
図４は、図３における変倍率決定処理のフローチャートである。
【００４５】
図４において、まず、画像メモリ３０３に格納された元の画像情報、また、回転接続を行った場合は画像メモリ３０８に格納された回転後画像情報に基づく画像データの解像度と、送信先との能力交換時に取得した送信先の能力に基づく画像データの解像度とから、図８の能力交換後における変倍率計算テーブルを用いて主走査方向の変倍率Ａｘ％及び副走査方向の変倍率Ａｙ％を夫々計算し（ステップＳ４０１）、同じく画像情報から取得した用紙サイズと、送信先の能力に応じて決定した能力交換後の用紙サイズとから、図９の能力交換後の記録紙差サイズによる変倍率計算テーブルを用いて主走査方向の変倍率Ｂｘ％及び副走査方向の変倍率Ｂｙ％を夫々計算する（ステップＳ４０２）。次いで、ステップＳ４０１で求めた各変倍率Ａｘ％，Ａｙ％とステップＳ４０２で求めた各変倍率Ｂｘ％，Ｂｙ％を夫々乗算することにより変倍率Ｃｘ％，Ｃｙ％を算出する（ステップＳ４０３）。
【００４６】
次に、送信先との能力交換時に、送信先の記録紙がカット紙か否かを判別し（ステップＳ４０４）、送信先の記録紙がカット紙のときは、ファクシミリ原稿が長尺画像を有する長尺紙の場合に、送信元の操作者が長尺画像の分割位置を設定しているか否かを判別する（ステップＳ４０５）。
【００４７】
ステップＳ４０５の判別の結果、長尺画像の分割位置を設定しているときは、指定された領域の副走査長（ライン数）に変倍率Ｃｙ％をかけた変倍後のライン数を計算し、このライン数が所定のライン数ＷＭを越えているか否かを判別し（ステップＳ４０６）、越えているときは、送信元の操作者が分割時に自動縮小を設定しているか否かを判別する（ステップＳ４０７）。所定のライン数ＭＷは、受信側が１枚のカット紙に印字可能な最大ライン数である。
【００４８】
ステップＳ４０７の判別の結果、操作者が分割時に自動縮小を設定しているときは、指定された領域の副走査長（ライン数）が所定のライン数ＷＭ内に収まるように縮小率Ｄを算出して、この縮小率Ｄとステップ４０３にて求めたＣｙ％に乗算することにより全体の変倍率Ｃｙ％を再計算して（ステップ４０８）、本処理を終了する。
【００４９】
ステップＳ４０４〜Ｓ４０７の各判別の結果、送信先の記録紙がカット紙でないか、送信元の操作者が分割位置を設定していないか、指定された領域のライン数に変倍率(Ｃ)をかけたライン数がＷＭ以下であるか、又は操作者が分割時に自動縮小を設定していないときは、ステップＳ４０８をスキップして、指定された領域が所定のライン数ＷＭ以下となるように変倍率Ｃｙ％を再計算することなく、本処理を終了する。
【００５０】
図５は、図３における送信画像分割位置調整処理のフローチャートである。
【００５１】
図５において、まず、送信先との能力交換時に、送信先の記録紙がカット紙か否かを判別し（ステップＳ５０１）、送信先の記録紙がカット紙のときは、送信元操作者が、ファクシミリ原稿が長尺画像を有する長尺紙の場合に、長尺画像の分割位置を設定しているか否かを判別する（ステップＳ５０２）。
【００５２】
ステップＳ５０２の判別の結果、送信元の操作者が長尺画像の分割位置を設定しているときは、図３の変倍処理３０９後の画像データの副走査長（ライン数）が所定のライン数ＷＭを越えている、即ち、設定した領域の下端から画像データの上端までのライン数が所定のライン数ＷＭ以上であるか否かを判別し（ステップＳ５０３）、越えているときは、指定した領域の上端から画像データの上端までのライン数が所定のライン数ＷＭの最小の整数倍となるように画像データ上端に後述する図６及び図７に示すように余白を付加することにより（ステップＳ５０４）、指定された領域内で画像が分割されるのを防止して、本処理を終了する。
【００５３】
図６（ａ）は、分割位置を調整しない場合の送信画像を説明するのに用いられる図であり、図６（ｂ）は、図６（ａ）の送信画像による印字結果を説明するのに用いられる図である。
【００５４】
図６（ａ）において、画像メモリ領域３１１に格納された画像データ６０１の副操作方向の長さは、所定のライン数ＷＭを越えている。画像データ６０１中には、分割不可領域設定処理３０６によって分割不可領域６０２が設定されている。分割位置を調整しない場合は、送信先での印字結果が、図６（ｂ）に示すように、画像データ６０１が１枚目の画像データ６０３と、２枚目の画像データ６０４とに分割されたときに、分割不可領域６０２も２つに分割される。
【００５５】
図７（ａ）は分割位置を調整した場合の送信画像を説明するのに用いられる図であり、図７（ｂ）は、図７（ａ）の送信画像による印字結果を説明するのに用いられる図である。
【００５６】
分割位置を調整した場合は、図７（ａ）に示すように、画像データ７０１の上端に所定のライン数ＷＭの整数倍となるように余白を付加することにより、送信先での印字結果が、図７（ｂ）に示すように、画像データ６０１が１枚目の画像データ６０３と、２枚目の画像データ６０４とに分割されたときに、分割不可領域６０２は２つに分割されない。
【００５７】
ステップＳ５０１〜Ｓ５０３の各判別の結果、送信先の記録紙がカット紙でないか、送信元が長尺画像の分割位置を設定していないか、又は画像データの副走査長（ライン数）が所定ライン数ＷＭを越えていないときは、ステップＳ５０４をスキップして、画像データ上端に余白を付加することなく、本処理を終了する。
【００５８】
また、本発明の目的は、上記実施形態の機能を実現するソフトウェアのプログラムコードを記録した記憶媒体（又は記録媒体）を、システム又は装置に供給し、そのシステム或いは装置のコンピュータ（又はＣＰＵやＭＰＵ）が記憶媒体に格納されたプログラムコードを読み出し実行することによっても、達成されることは言うまでもない。
【００５９】
この場合、記憶媒体から読み出されたプログラムコード自体が前述した実施形態の機能を実現することになり、そのプログラムコードを記憶した記憶媒体は本発明を構成することになる。
【００６０】
また、コンピュータが読み出したプログラムコードを実行することにより、前述した実施形態の機能が実現されるだけでなく、そのプログラムコードの指示に基づき、コンピュータ上で稼働しているオペレーティングシステム(ＯＳ)などが実際の処理の一部又は全部を行い、その処理によって前述した実施形態の機能が実現される場合も含まれることは言うまでもない。
【００６１】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部又は全部を行い、その処理によって前述した実施形態の機能が実現される場合も含まれることは言うまでもない。
【００６２】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００６３】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−Ｒ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。或いは、上記プログラムは、インターネット、商用ネットワーク、若しくはローカルエリアネットワーク等に接続される不図示の他のコンピュータやデータベース等からダウンロードすることにより供給される。
【図面の簡単な説明】
【００６４】
【図１】本発明の実施の形態に係る通信装置を備える画像処理システムの構成を概略的に示すブロック図である。
【図２】図１における通信装置の構成を概略的に示すブロック図である。
【図３】図１におけるＣＰＵによって実行される送信画像分割位置調整処理の動作を説明するのに用いられる図である。
【図４】図３における変倍率決定処理のフローチャートである。
【図５】図３における送信画像分割位置調整処理のフローチャートである。
【図６】（ａ）は分割位置を調整しない場合の送信画像を説明するのに用いられる図であり、（ｂ）は（ａ）の送信画像による印字結果を説明するのに用いられる図である。
【図７】（ａ）は分割位置を調整した場合の送信画像を説明するのに用いられる図であり、（ｂ）は（ａ）の送信画像による印字結果を説明するのに用いられる図である。
【図８】図４のステップＳ４０１で用いられる能力交換後における変倍率計算テーブルである。
【図９】図４のステップＳ４０２で用いられる能力交換後の記録紙差サイズによる変倍率計算テーブルである。
【符号の説明】
【００６５】
１０１  通信装置
１０２  ローカルエリアネットワーク（ＬＡＮ）
１０３  公衆電話交換網（ＰＳＴＮ）
１０４  ワークステーション（情報端末）
１０５  ファクシミリ装置
１０６  プロバイダ
２０３  ＣＰＵ
２０４  ＲＡＭ
２０８  ＩＯ制御Ｂ部
２０９  ＩＯ制御Ａ部
２１１  画像処理部
２１４  読取り部
２１３  プリンタ部
２１６  操作部
２１７  制御ユニット
【図１】
2005244616.tif 000003
【図２】
2005244616.tif 000004
【図３】
2005244616.tif 000005
【図４】
2005244616.tif 000006
【図５】
2005244616.tif 000007
【図６】
2005244616.tif 000008
【図７】
2005244616.tif 000009
【図８】
2005244616.tif 000010
【図９】
2005244616.tif 000011